(57)【要約】【課題】　携帯電話機のファンクション機能を設定するには、メモリダイヤル管理番号を記憶しておく必要があり、忘れたときは煩雑な操作を必要とする。【解決手段】　設定すべき目的の機能項目に所望のメモリダイヤルを指定することによって機能の設定を行うファンクション機能の設定方法において、表示部に名前と電話番号及びそのメモリダイヤル管理番号を含むメモリダイヤル画面を表示し、メモリダイヤル画面を検索して目的のメモリダイヤルが選択されたら、機能項目を検索する画面の表示に移行する。また、機能項目を検索して目的の機能項目が選択されたときは、選択されたメモリダイヤルを指定して機能の設定を終了する。【選択図】　　　図２
2004120777.tif 000002
【特許請求の範囲】
【請求項１】
設定すべき目的の機能項目に所望のメモリダイヤルを指定することによって機能の設定を行うファンクション機能の設定が可能な電話機において、　表示部と、前記表示部に名前と電話番号及びそのメモリダイヤル管理番号を含むメモリダイヤル画面を表示し、前記メモリダイヤル画面を検索して目的のメモリダイヤルが選択されたら、機能項目を検索する画面の表示に移行させる制御部とを含むことを特徴とする電話機。　　
【請求項２】
ファンクション機能の設定が可能な電話機において、　複数のメモリダイヤルを記憶するメモリと、記憶された前記メモリダイヤルに対してファンクション機能を設定するための制御部と、表示部とを含み、　前記制御部は前記メモリダイヤルを検索して目的のメモリダイヤルが選択された後に、ファンクションキーの押下により機能項目の設定画面を前記表示部に表示し、さらに上下キーまたはダイヤルキーの押下により当該メモリダイヤルに関して設定可能な目的の機能項目の設定画面を前記表示部に表示し、前記目的の機能項目に対応するファンクション機能を設定し得るようにしたことを特徴とする電話機。　　
【請求項３】
前記目的の機能項目に対応するファンクション機能は、当該メモリダイヤルに登録されている電話番号から着信を受けたときその着信を拒否するメモリ指定着信拒否機能であることを特徴とする請求項２に記載の電話機。　　
【請求項４】
前記目的の機能項目に対応するファンクション機能は、当該メモリダイヤルに登録されている電話番号から電話がかかってきたときに予め登録された電話番号に転送するメモリ指定着信転送機能であることを特徴とする請求項２に記載の電話機。　　
【請求項５】
前記電話機は、アンテナと無線部を含む携帯電話機であることを特徴とする請求項１乃至５のいずれか１項に記載された電話機。
【発明の詳細な説明】
【技術分野】
【０００１】
本発明は、ファンクション機能の設定可能な携帯電話機などの電話機に関し、特にメモリ指定をするファンクション機能を設定可能とするものに関する。
【背景技術】
【０００２】
一般に、携帯電話機には、ファンクション機能と呼ばれる、ユーザーが機能を選択できる項目が約６０項目もあることが知られている。これらのファンクション機能には、ファンクション番号と呼ばれる２桁の管理番号（１１〜９９）が付されている。この管理番号は大まかに１０の位ごとに機能の意味合の違いによってグループ分けされている。　
【０００３】
このようなファンクション機能を設定する場合、ユーザーがキー操作によって各機能項目ごとに機能の設定を行っている。具体的に説明すると、まず、図３（１）のような待ち受け画面で「ファンクションキー」を押下し、図３（２）のように機能項目の検索画面を表示させる。次いで、「上下キー」を押下して機能項目をスクロールさせるか、あるいは「ダイヤルキー」によって直接ファンクション番号を入力することで、図３（３）や図３（５）のように目的とする機能項目の設定画面を表示させる。この設定画面で、機能を動作させるかどうかの選択を行う。　
【０００４】
ここで、ファンクション機能の設定には、大きく分けて２種類の設定がある。１つは、例えば、「キー確認音」の設定のように、単にその機能を動作させるかどうかの設定を行うものである。このファンクション機能には約５０項目ある。図３（３）に、一例として「キー確認音」の設定画面を示している。このようなファンクション機能を設定する場合は、図３（３）のように設定画面を表示した後、図３（４）のように「ＯＮ」を選択することによって、「キー確認音」の機能の設定を終了する。　
【０００５】
もう１つは、メモリを指定するファンクション機能の設定である。例えば、図３（５）のように「メモリ指定着信拒否」などの機能設定がある。このファンクション機能を設定するには、その機能を動作させるかどうかの設定を行った後、その機能を動作させるメモリダイヤル番号を指定しなければならない。これには、約１０項目が含まれている。この「メモリ指定着信拒否」という機能は、指定したメモリダイヤル管理番号に登録されている電話番号からの着信を受けたとき、その着信を拒否するという機能である。メモリダイヤルとは、携帯電話機が持っている電話帳機能で、ユーザーが登録した名前と電話番号を記憶している。メモリダイヤルには管理番号が付されていて、現在においては１００〜３００件の登録が可能である。　
【０００６】
「メモリ指定着信拒否」を設定する場合は、まず、前述のような「上下キー」などによる操作によって機能項目を検索し、図３（５）のように「メモリ指定着信拒否」の機能設定画面を表示させる。この状態で、「ＯＮ」を選択すると、図３（６）のようにその機能を動作させるメモリダイヤル管理番号を入力する画面が表示される。例えば、着信を拒否したい相手の電話番号のメモリダイヤル管理番号が１２であるとすると、図３（７）のようにキー操作によってメモリダイヤル管理番号１２を入力する。その後、図３（８）のように確認画面を表示して「メモリ指定着信拒否」の機能の設定を完了し、以後そのメモリダイヤルの相手から着信があっても自動的に着信を拒否することができる。
【発明の開示】
【発明が解決しようとする課題】
【０００７】
ところで、従来の携帯電話機では、以上の説明のようにメモリ指定をする機能を設定する場合、機能設定時にメモリダイヤル管理番号を入力する必要があり、そのためにはユーザーが指定するメモリダイヤル管理番号を記憶しておく必要がある。しかしながら、機能設定画面を表示した状態で、メモリダイヤル管理番号を忘れてしまった場合は、一度、機能設定画面を抜けて、メモリダイヤルを検索しなければならない。即ち、図４（１）のように再度待ち受け画面に戻って、「コールキー」を押下し、図４（２）のようにメモリダイヤル検索画面を表示させる。次いで、「上下キー」を押下してメモリダイヤルをスクロールさせるか、あるいは、「ダイヤルキー」によって文字検索、電話番号検索で目的のメモリダイヤル管理番号を検索する。　
【０００８】
例えば、目的のメモリダイヤル管理番号が、図４（３）のように１２であるとすると、その管理番号を確認した後、「終了キー」を押下して待ち受け画面に戻り、再度、図３（５）のように「メモリ指定着信拒否」の機能設定画面を表示させる。そして、図３（６）〜（８）の操作によって先に検索したメモリダイヤル管理番号を入力する。しかし、このようにメモリダイヤル管理番号を設定する操作は、ユーザーにメモリダイヤル管理番号を記憶させるという負担をかけるばかりでなく、もし忘れてしまった場合は、前述のように煩雑な操作が必要であり、また、機能の設定に時間がかかるという問題があった。また、メモリダイヤルを指定するには、メモリダイヤル管理番号をキー操作によって入力するため、メモリダイヤル管理番号を間違えて設定する恐れがあった。　
【０００９】
そこで、本発明は、メモリダイヤル管理番号を記憶しておく必要がなく、簡単かつ正確に機能の設定を行うことができる電話機におけるファンクション機能の設定方法を提供することを目的としたものである。
【課題を解決するための手段】
【００１０】
本発明の目的は、設定すべき目的の機能項目に所望のメモリダイヤルを指定することによって機能の設定を行うファンクション機能を設定可能な電話機において、表示部と、前記表示部に名前と電話番号及びそのメモリダイヤル管理番号を含むメモリダイヤル画面を表示し、前記メモリダイヤル画面を検索して目的のメモリダイヤルが選択されたら、機能項目を検索する画面の表示に移行させる制御部とを含む電話機によって達成される。　
【００１１】
具体的には、ファンクション機能の設定が可能な電話機において、複数のメモリダイヤルを記憶するメモリと、記憶された前記メモリダイヤルに対してファンクション機能を設定するための制御部と、表示部とを含み、前記制御部は前記メモリダイヤルを検索して目的のメモリダイヤルが選択された後に、ファンクションキーの押下により機能項目の設定画面を前記表示部に表示し、さらに上下キーまたはダイヤルキーの押下により当該メモリダイヤルに関して設定可能な目的の機能項目の設定画面を前記表示部に表示し、前記目的の機能項目に対応するファンクション機能を設定し得るようにしたことを特徴とするものである。
【発明の効果】
【００１２】
本発明によれば、メモリダイヤルの検索画面から機能項目の設定画面に移行することにより、メモリダイヤルを記憶する必要がなく、設定操作を簡単かつ短時間で行うことができる。また、選択されたメモリダイヤルを自動的に目的の機能項目にメモリ指定することにより、入力ミスをなくすことができるばかりでなく、メモリ容量も低減することができる。
【発明を実施するための最良の形態】
【００１３】
以下、本発明の実施の形態を図面を参照して詳細に説明する。図１は本発明に係る携帯電話機の構成を示したブロック図である。図１において、１は送受信アンテナ、２は無線部である。送受信アンテナ１で受信された受信波は無線部２で復調などの処理がなされ、得られた受話音はスピーカ７で利用者に伝えられる。また、無線部２においては、送信すべき音声を変調するなど所定の信号処理を行い、得られた送信波は送受信アンテナ１から送信される。なお、携帯電話機の構成、動作については周知であるので詳しい説明は省略する。　
【００１４】
制御部３は各部を制御する制御回路、メモリ４は前述のように予め登録されたメモリダイヤルを記憶しているメモリで、各々の名前と電話番号及び各メモリダイヤルに付されたメモリダイヤル管理番号を記憶している。また、メモリ４はファンクション機能の設定に必要な各々の機能項目を設定する設定画面などのデータを記憶している。操作部６は複数のキーから構成された操作部であり、制御部３では操作部６の操作に応じてメモリ４からメモリダイヤル検索画面や機能項目の設定画面のデータを読み出し、表示部５上に表示する。表示部５は液晶などを用いた表示パネルからなっていて、制御部３の制御によってメモリダイヤルの検索画面、機能項目の設定画面などが表示される。　
【００１５】
次に、本実施形態のファンクション機能の設定方法を図２を参照して詳細に説明する。まず、本実施形態では、ファンクション機能の設定についてメモリ指定をするものと
、メモリ指定をしないものとに分類し、メモリ指定をしないものは従来と同じとしている。即ち、メモリ指定をしないものは、図３に示すように、例えば、「キー確認音」の設定を行う場合、図３（３）のように目的の機能項目画面を選択し、その後、図３（４）のように「ＯＮ」を選択することによって機能の設定を行う。図２ではメモリ指定をしないものは省略し、メモリ指定をするものについてのみ示している。　
【００１６】
図２において、まず、携帯電話機の待ち受け時には、表示部５上に図２（１）のように年月日や時刻が表示される。制御部３は時計機能を持っていて、通話待機時には図２（１）のように時刻などが表示される。この状態で、ファンクション機能の設定を行う場合、まず、使用者は操作部６内の「コールキー」を押下する。制御部３はこのキー操作に応じてメモリ４から表示データを読み出し、図２（２）のように表示部５上にメモリダイヤル画面を表示させる。　
【００１７】
次いで、使用者は「上下キー」を押下し、メモリダイヤル画面をスクロールすることによって、図２（３）、図２（３）′のように所望のメモリダイヤル画面を検索する。即ち、制御部３は、キー操作に応じて順次メモリ４からメモリダイヤルデータを読み出し、表示部５上にメモリダイヤル画面を表示することで、使用者は所望のメモリダイヤルを検索する。また、「ダイヤルキー」を操作することによってメモリダイヤル管理番号を直接入力することによっても、所望のメモリダイヤル画面を表示することができる。このようにして使用者は目的のメモリダイヤルを検索し、目的のメモリダイヤル画面を選択すると、「ファンクションキー」を押下して図２（４）のように機能項目の設定画面を表示させる。ここでは、例えば、図２（３）のようにメモリダイヤル管理番号１２のメモリダイヤル画面を選択したものとする。　
【００１８】
次いで、使用者は「上下キー」を押下し、機能項目設定画面をスクロールさせることによって、図２（５）または図２（５）′のように機能項目設定画面を検索する。また、「ダイヤルキー」を操作することによって直接ファンクション番号を入力することによっても、目的の機能項目画面を表示させることができる。このようにして、使用者は機能項目設定画面を検索し、目的の機能項目設定画面を選択する。例えば、図２（５）のように「メモリ指定着信拒否」の機能項目を選択したとすると、図２（６）のようにその機能項目を動作させるかどうかを選択する画面が表示される。　
【００１９】
この状態で、「ＯＮ」を選択すると、「メモリ指定着信拒否」の機能の設定が完了し、表示部５上には再びメモリダイヤル検索画面が表示される。ここで、本実施形態では、目的の機能項目が選択された場合、制御部３は先に選択されたメモリダイヤルの管理番号を指定し、使用者がメモリダイヤル管理番号を入力することなく、自動的にメモリ指定を行うようになっている。この場合は、前述のように図２（３）のメモリダイヤル管理番号１２が選択されているので、制御部３は「メモリ指定着信拒否」の機能項目にメモリダイヤル管理番号１２を指定する。従って、以後その管理番号１２に登録されている電話番号からの着信を拒否することができる。　
【００２０】
本実施形態では、メモリ指定をする機能を設定する場合、メモリダイヤルの表示画面からのみ機能項目の設定画面に移行するようにしたので、メモリダイヤル管理番号を記憶しておく必要がない。また、メモリダイヤル管理番号を忘れてしまった場合でも、メモリダイヤルを検索して再度最初から設定操作をやり直す必要がないので、操作を簡単化でき、設定時間も短縮することができる。また、選択されたメモリダイヤル管理番号を自動的にメモリ指定することにより、操作を簡単化でき、入力ミスをなくすことができる。　
【００２１】
更に、ファンクション機能を設定する際、メモリダイヤルを入力する必要がなく、その機能を動作させるかどうかを選択するだけで機能項目を設定するので、メモリダイヤルを記憶するのに必要なメモリ容量が不要となり、その分メモリ容量を低減することができる。例えば、メモリダイヤルを３００件、メモリ指定の機能項目を１０項目とすると、従来は、１項目につき２７０００ビット（９ビット×３００件）、全体では２７０００ビット（２７００ビット×１０項目）必要であるのに対し、本実施形態では、１メモリにつき１０ビット（１ビット×１０項目）、全体では３０００ビット（１０ビット×３００件）となり、従来に比べてメモリ容量を大幅に低減することができる。　
【００２２】
なお、以上の実施形態では、メモリ指定をする機能項目として「メモリ指定着信拒否」を例として説明したが、本発明は、これに限ることなく、例えば、図２（５）′に示すような「メモリ指定着信転送」など、その他のメモリ指定をするすべての機能項目の設定に使用できることは言うまでもない。また、本発明は、携帯電話機に限ることなく、通常の電話機のファンクション機能の設定にも使用できることはもちろんである。
【図面の簡単な説明】
【００２３】
【図１】本発明に係る携帯電話機の構成を示したブロック図である。
【図２】本発明のファンクション機能の設定方法を説明するための流れ図である。
【図３】従来例のファンクション機能の設定方法を説明するための流れ図である。
【図４】従来のメモリダイヤルの検索方法を説明するための流れ図である。
【符号の説明】
【００２４】
１　　送受信アンテナ　　　　２　　無線部　　　　３　　制御部　　　　４　　メモリ　　　　５　　表示部　　　　６　　操作部　　　　７　　スピーカ
【図１】
2004120777.tif 000003
【図２】
2004120777.tif 000004
【図３】
2004120777.tif 000005
【図４】
2004120777.tif 000006